(57)【要約】【課題】操作用表示が欠けるのを抑制することができる加熱調理器を提供すること。【解決手段】加熱調理器は、上部が開口した本体と、上面の前側に操作表示部を有し、本体の上部開口を覆う天板と、天板の下方に設けられた加熱手段と、本体に取り付けられ、天板を下方から支持する固定板金と、固定板金によって操作表示部と対向する位置に固定された操作表示ユニットと、を備え、操作表示ユニットは、操作表示部に表示される操作用表示が設けられたシートと、操作用表示に向けて投光する投光手段と、静電容量を検知する電極として機能するコイルバネと、を備え、シートはコイルバネにより付勢され天板の下面に密着しているものである。【選択図】図１
2018112394.tif 000002
【特許請求の範囲】
【請求項１】
上部が開口した本体と、
上面の前側に操作表示部を有し、前記本体の上部開口を覆う天板と、
前記天板の下方に設けられた加熱手段と、
前記本体に取り付けられ、前記天板を下方から支持する固定板金と、
前記固定板金によって前記操作表示部と対向する位置に固定された操作表示ユニットと、を備え、
前記操作表示ユニットは、
前記操作表示部に表示される操作用表示が設けられたシートと、前記操作用表示に向けて投光する投光手段と、静電容量を検知する電極として機能するコイルバネと、を備え、
前記シートは前記コイルバネにより付勢され前記天板の下面に密着している
ことを特徴とする加熱調理器。
【請求項２】
上部が開口した本体と、
上面の前側に操作表示部を有し、前記本体の上部開口を覆う天板と、
前記天板の下方に設けられた加熱手段と、
前記本体に取り付けられ、前記天板を下方から支持する固定板金と、
前記固定板金によって前記操作表示部と対向する位置に固定された操作表示ユニットと、を備え、
前記操作表示ユニットは、
前記操作表示部に表示される操作用表示が設けられたシートと、前記操作用表示に向けて投光する投光手段と、静電容量を検知する電極として機能するコイルバネと、を備え、
前記投光手段には前記操作表示部に投光する光路部を設け、
前記コイルバネは前記光路部の外周に沿って設けられ、
前記シートは前記コイルバネにより付勢され前記天板の下面に密着している
ことを特徴とする加熱調理器。
【発明の詳細な説明】
【技術分野】
【０００１】
本発明は、鍋やフライパン等の被加熱物を載置する天板に操作表示部を備えた加熱調理器に関するものである。
【背景技術】
【０００２】
従来、加熱調理器の組み立て時において、操作表示基板と天板との位置合わせに関する技術が開示されている（たとえば、特許文献１参照）。
【０００３】
特許文献１に記載の加熱調理器は、本体と、該本体の上面に設けられた天板と、該天板の外周を保護する天板枠と、前記天板下面に配置し静電容量式のタッチキー方式による操作部品を有した操作表示基板と、前記天板の下面外周を保持し一体で有した支持部で前記操作表示基板を固定する保持部材と、を備えた加熱調理器において、前記天板には前記操作部品の位置を示す操作部表示と目印とを印刷して設け、前記保持部材には前記目印と位置合わせする所定位置を設けたものである。
【先行技術文献】
【特許文献】
【０００４】
【特許文献１】特開２０１２−２１６９２号公報
【発明の概要】
【発明が解決しようとする課題】
【０００５】
特許文献１は、操作表示基板が固定された保持部材と、天板との位置合わせを、天板に印刷された目印に保持部材に設けられた所定位置を合わせることにより行っているが、作業性が悪く、天板に対する操作表示基板の位置ずれが生じやすい。そして、その位置ずれが生じると、天板の上面の前側に設けられている操作用表示に対して操作表示基板に設けられている投光手段の位置ずれが生じ、操作用表示が欠けてしまうという課題があった。
【０００６】
本発明は、以上のような課題を解決するためになされたもので、操作用表示が欠けるのを抑制することができる加熱調理器を提供することを目的としている。
【課題を解決するための手段】
【０００７】
本発明に係る加熱調理器は、上部が開口した本体と、上面の前側に操作表示部を有し、前記本体の上部開口を覆う天板と、前記天板の下方に設けられた加熱手段と、前記本体に取り付けられ、前記天板を下方から支持する固定板金と、前記固定板金によって前記操作表示部と対向する位置に固定された操作表示ユニットと、を備え、前記操作表示ユニットは、前記操作表示部に表示される操作用表示が設けられたシートと、前記操作用表示に向けて投光する投光手段と、静電容量を検知する電極として機能するコイルバネと、を備え、前記シートは前記コイルバネにより付勢され前記天板の下面に密着しているものである。
【発明の効果】
【０００８】
本発明に係る加熱調理器によれば、操作表示ユニットが、操作用表示が設けられたシートと、操作用表示に向けて投光する投光手段と、を備えているため、操作用表示の位置と投光手段の光路の位置との位置合わせがしやすい。そのため、操作用表示が欠けるのを抑制することができる。
【図面の簡単な説明】
【０００９】
【図１】本発明の実施の形態に係る加熱調理器を前方から見た外観図である。
【図２】本発明の実施の形態に係る加熱調理器を後方から見た外観斜視図である。
【図３】本発明の実施の形態に係る加熱調理器の本体の内部を示す図である。
【図４】本発明の実施の形態に係る加熱調理器の本体の縦断面図である。
【図５】本発明の実施の形態に係る加熱調理器の固定板金を後方から見た斜視図である。
【図６】本発明の実施の形態に係る加熱調理器の固定板金を前方から見た要部拡大斜視図である。
【図７】本発明の実施の形態に係る加熱調理器の操作表示ユニットを前方から見た分解斜視図である。
【図８】本発明の実施の形態に係る加熱調理器の操作表示ユニットを前方から見た要部拡大斜視図である。
【図９】本発明の実施の形態に係る加熱調理器の操作表示ユニットを前方から見た側面図である。
【図１０】本発明の実施の形態に係る加熱調理器の操作表示部の操作説明図である。
【図１１】本発明の実施の形態に係る加熱調理器の操作表示ユニットの固定前後における操作表示ユニットを側面視した図である。
【図１２】本発明の実施の形態に係る加熱調理器の操作表示ユニットの固定前後における操作表示ユニットを下面視した斜視図である。
【図１３】本発明の実施の形態に係る加熱調理器の操作表示ユニットの固定前後における操作表示ユニットを平面視した斜視図である。
【図１４】本発明の実施の形態に係る加熱調理器のユニット保持部および側面スライド部を示す側面概略図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。なお、以下の説明において前後左右方向および上下方向は、特段の断りがない限り、加熱調理器を正面視した状態における方向であるものとする。
【００１１】
実施の形態．
図１は、本発明の実施の形態に係る加熱調理器を前方から見た外観図である。
加熱調理器は、図１に示すように上部が開口したほぼ直方体の本体１と、本体１の上部開口を覆う天板２と、を備えている。この天板２は、全体が耐熱強化ガラス、結晶化ガラス等の非磁性の材料で構成されており、天板２の前後左右側縁は外周フレーム３により保持されている。平面視において、天板２の面積は本体１の上面開口部の面積よりも大きく、本体１の上に天板２が載置された状態では、天板２の外周は、庇のようにして本体１の外周よりも外側に張り出している。
【００１２】
図２は、本発明の実施の形態に係る加熱調理器を後方から見た外観斜視図、図３は、本発明の実施の形態に係る加熱調理器の本体１の内部を示す図、図４は、本発明の実施の形態に係る加熱調理器の本体１の縦断面図である。
本体１の内部には、図２および図３に示すように加熱源として加熱コイル５（５Ｌ、５Ｃ、５Ｒ）が３つ配置されている。天板２の上面には、３つの加熱コイル５の大まかな位置を示す円形の案内マーク２Ｌ、２Ｃ、２Ｒが、それぞれ印刷等の方法により設けられている。なお、本実施の形態では、天板２はベースの色が黒色であり、案内マーク２Ｌ、２Ｃ、２Ｒは、そのベースの色に対して目立つ色で設けられている。ただし、天板２のベースの色は黒色に限定されるものではない。また、本実施の形態では加熱コイル５を３つとしたが、それに限定されるものではない。
【００１３】
なお、加熱コイル５は、本発明の「加熱手段」に相当する。
【００１４】
天板２の上面の前側には、加熱コイル５の火力調整やタイマー設定等の各種操作を行い、各種操作状況に応じた情報の表示を行うための操作表示部２ａが設けられている。そして、本体１の内部の操作表示部２ａと対向する位置、つまり、操作表示部２ａの下方には、操作表示部２ａで加熱コイル５の火力調整やタイマー設定等の各種操作を行い、各種操作状況に応じた情報の表示を行うための操作表示ユニット３０が設けられている。この操作表示ユニット３０は静電容量式である。また、天板２の少なくとも操作表示部２ａは光が透過する性質を有する。
【００１５】
また、本体１の下面の前側には、本体１の内部に冷却風を取り込むための吸気口７が設けられ、また、外周フレーム３の後側には、本体１の内部に取り込んだ冷却風を排出するための排気口８が設けられている。
【００１６】
図５は、本発明の実施の形態に係る加熱調理器の固定板金１０を後方から見た斜視図、図６は、本発明の実施の形態に係る加熱調理器の固定板金１０を前方から見た要部拡大斜視図である。
本体１には、図５に示す固定板金１０が取り付けられている。固定板金１０は、大まかには額縁形状を有し、天板２と本体１とに挟まれた位置に配置されており、天板２を下方から支持している。
また、固定板金１０の前側の内周端には、図５に示すようにその内周端から下方に向かって突出した前面内周壁１１が設けられている。また、固定板金１０の左右側の内周端の前側には、その内周端から下方に向かって突出した側面内周壁１２が設けられている。
【００１７】
なお、本実施の形態に係る固定板金１０の前面内周壁１１は左中右に３つ設けられているが、構成は（ほぼ）同じであるため、以下、右側の前面内周壁１１を中心に説明する。同様に、本実施の形態に係る固定板金１０の側面内周壁１２は左右に２つ設けられているが、構成は（ほぼ）同じであるため、以下、右側の側面内周壁１２を中心に説明する。なお、前面内周壁１１の数は３つに限定されるものではない。
【００１８】
なお、固定板金１０の前側の内周端は、本発明の固定板金の「前端部」に相当し、固定板金１０の左右側の内周端は、本発明の固定板金の「左右端部」に相当する。
【００１９】
この前面内周壁１１および側面内周壁１２は、操作表示ユニット３０を固定するためのものである。なお、前面内周壁１１および側面内周壁１２は、固定板金１０と一体形成してもよいし、別体として設けてもよい。
前面内周壁１１には、板金側ネジ穴２１および前面位置決め穴２２が設けられている。また、側面内周壁１２には、内側に向かって突出したユニット保持部２４が設けられている。
【００２０】
図７は、本発明の実施の形態に係る加熱調理器の操作表示ユニット３０を前方から見た分解斜視図、図８は、本発明の実施の形態に係る加熱調理器の操作表示ユニット３０を前方から見た要部拡大斜視図、図９は、本発明の実施の形態に係る加熱調理器の操作表示ユニット３０を前方から見た側面図である。なお、図８（ａ）は、シート３３が操作表示基板ホルダ３１に保持されていない状態を示しており、図８（ｂ）は、シート３３が操作表示基板ホルダ３１に保持されている状態を示している。また、図９（ａ）は、操作表示ユニット３０が固定板金１０に固定される前の状態を示しており、図９（ｂ）は、操作表示ユニット３０が固定板金１０に固定された後の状態を示している。
【００２１】
操作表示ユニット３０は、図７に示すように操作表示基板ホルダ３１と、操作表示基板３２と、シート３３と、を備えている。
この操作表示ユニット３０は、固定板金１０によって固定され、天板２の操作表示部２ａの下方に配置される。なお、本実施の形態に係る操作表示ユニット３０は左中右の３つの部分から構成されているが、それらの構成はほぼ同じである（中の部分のみ後述する側面スライド部４２がない）ため、以下、右側を中心に説明する。なお、操作表示ユニット３０が構成されている部分は３つに限定されるものではない。
【００２２】
操作表示基板ホルダ３１は、箱体形状であり、内部に複数の筒状の光路部４１が設けられている。この光路部４１は、後述するＬＥＤ６２の光路を形成している。また、操作表示基板ホルダ３１の左右側面には、外側に突出した側面スライド部４２が設けられている。
【００２３】
各光路部４１には、その外周に沿って巻かれたコイルバネ６１が設けられており、このコイルバネ６１は、静電容量を検知する電極として機能する。
なお、本実施の形態では、光路を広く確保できるようにコイルバネ６１を光路部４１の外周に、また、コイルバネ６１の位置を安定させるために外周に沿って巻いて設けるようにしたが、それに限定されるものではない。コイルバネ６１は光路部４１の内周に沿って巻いて設けてもよいし、コイルバネ６１と光路部４１との間に隙間が空くように設けてもよい。また、光路部４１は、操作表示基板ホルダ３１と一体に設けてもよいし、別体として設けてもよい。
【００２４】
各コイルバネ６１は、静電容量の変化を検知する検知部を有する操作表示基板３２と接続されている。つまり、各コイルバネ６１は操作表示基板３２と導通している。そして、ユーザーが操作表示部２ａを操作（タッチ）すると、それによる静電容量の変化がコイルバネ６１を介して操作表示基板３２の検知部が検知するようになっている。
【００２５】
操作表示基板３２は、操作表示基板ホルダ３１の下側に設けられており、各光路部４１の内側に投光手段であるＬＥＤ６２が設けられている。また、操作表示基板３２は発光部を有しており、検知部により検知した静電容量の変化、つまりユーザーによる操作に基づいて、ＬＥＤ６２を点灯または消灯させる。
【００２６】
シート３３は、操作表示基板ホルダ３１の上側に設けられており、シート３３の各光路部４１に対応する位置には、文字、数字、絵等による操作部（操作キー）の位置、操作部の名称等（以下、操作用表示３３ａと称する）が設けられている。シート３３は、ベースの色が天板２のベースの色と同色、または同系色であり、操作用表示３３ａがベースの色に対して目立つ色（たとえば、白色）で印刷等の方法により設けられている。
【００２７】
そして、シート３３のベースの色を天板２のベースの色と同系色とすることにより、デザイン性を向上させることができる。ただし、シート３３のベースの色は天板２のベースの色と同系色に限定されるものではない。なお、天板２のベースの色を黒色とすることで、操作表示ユニット３０の固定板金１０への固定時に天板２に傷が発生しても目立たなくすることができる。
【００２８】
また、シート３３は、光が透過する材料でできている。そして、ＬＥＤ６２を点灯させて操作用表示３３ａに向けて投光することで、天板２の操作表示部２ａに操作用表示３３ａが表示される。
【００２９】
以上のように、操作表示ユニット３０は、操作用表示３３ａに向けて投光するＬＥＤ６２の光路を形成する光路部４１の外周に沿って、静電容量を検知する電極として機能するコイルバネ６１が設けられているため、操作表示部２ａにおける操作部の位置と、操作用表示３３ａの表示位置とが、同じになる。
【００３０】
また、操作表示基板ホルダ３１の前側面には、シート３３を保持しつつ、シート３３の上下方向の可動を可能にするシート保持部４４と、固定板金１０に操作表示ユニット３０をネジ固定するためのユニット側ネジ穴４５と、固定板金１０と操作表示ユニット３０との位置合わせをするための位置決め突起部４６と、が設けられている。
【００３１】
シート保持部４４は、上部が開口しており、左右には、シート３３の前後方向の動きを規制するシート位置決めリブ５１が設けられており、中央（厳密に中央でなくてもよい）には、シート３３の上下方向の可動を可能にするシート可動突起部５２が設けられている。
なお、本実施の形態ではシート保持部４４が２つ設けられているが、それに限定されるものではない。
【００３２】
操作用表示３３ａが設けられたシート３３を、ＬＥＤ６２の光路を形成する光路部４１が設けられた操作表示基板ホルダ３１のシート保持部４４で保持しているので、各操作用表示３３ａと各光路部４１との位置合わせがしやすい。そのため、ＬＥＤ６２の点灯によって天板２の操作表示部２ａに表示される操作用表示３３ａが欠けるのを抑制することができる。さらに、操作表示ユニット３０は、各操作用表示３３ａと各光路部４１との位置合わせをすると、操作用表示３３ａとコイルバネ６１との位置も合うようになっているため、操作感度が鈍くなるのを抑制することができる。
【００３３】
また、各コイルバネ６１は、図９（ａ）に示すように操作用表示３３ａが設けられたシート３３を上側に付勢している。そのため、図９（ｂ）に示すように、操作表示基板ホルダ３１が固定板金１０に固定された状態では、コイルバネ６１はシート３３を操作表示基板ホルダ３１の上側に位置する天板２の操作表示部２ａの下面に付勢している。このとき、コイルバネ６１のうち、シート３３を介して天板２の操作表示部２ａの下面と接触する最上部を、複数巻きとすることにより、操作表示部２ａにおける操作感度（タッチの検知精度）を向上させることができる。
【００３４】
以上のように、シート保持部４４でシート３３を上下方向の可動を可能に保持し、コイルバネ６１でシート３３を天板２の操作表示部２ａの下面に付勢しているため、天板２とシート３３とが密着し、それらの間に隙間が空かないようになっている。それによって、操作表示部２ａにおいて操作用表示３３ａの表示がぼやけるのを抑制することができ、また、操作感度を向上させることができる。
【００３５】
また、シート３３は前側の端部が折り曲げられて形成された折曲部３４を備え、その折曲部３４には、シート保持部４４に対応する位置に設けられたシートリブ４７と、ユニット側ネジ穴４５に対応する位置に設けられたユニット側ネジ穴用穴４８と、位置決め突起部４６に対応する位置に設けられた位置決め突起部用穴４９と、が設けられている。
なお、シート３３の前側の端部を折り曲げて折曲部３４を設けたのは、シート３３の反りを抑制するとともに、シート３３の操作用表示３３ａと操作表示基板ホルダ３１の光路部４１との位置精度を向上させるためである。
【００３６】
シートリブ４７は、ほぼ中央から下方にかけて楕円形状のシートリブ穴５３が設けられており、そのシートリブ穴５３からシートリブ４７の下端にかけてスリット５４が設けられている。ここで、シートリブ穴５３の長径はシート可動突起部５２の直径より長く、短径はシート可動突起部５２の直径とほぼ同じ長さである。また、左側のシート位置決めリブ５１の右端部と右側のシート位置決めリブ５１の左端部との間の長さは、シートリブ４７の左右方向の長さよりも短くなっている。
そして、シート保持部４４の上部の開口からシートリブ４７を挿入し、スリット５４を介してシートリブ穴５３をシート可動突起部５２と合わせる、つまり、シートリブ穴５３にシート可動突起部５２を挿入することにより、シートリブ４７をシート保持部４４に保持させる。
【００３７】
このようにしてシートリブ４７をシート保持部４４に保持させることで、シート３３はシート保持部４４に対して、シートリブ穴５３の長径からシート可動突起部５２の直径を引いた範囲内で、上下方向への可動が可能となる。なお、その可動が可能な範囲に応じてユニット側ネジ穴用穴４８および位置決め突起部用穴４９の上下方向の長さも決定される。
【００３８】
図１０は、本発明の実施の形態に係る加熱調理器の操作表示部２ａの操作説明図である。なお、図１０（ａ）は、操作表示部２ａの操作前の状態を示しており、図１０（ｂ）は、操作表示部２ａの操作後の状態を示している。
まず、加熱調理器に電源が入っている状態では、図１０（ａ）に示すように、各ＬＥＤ６２が点灯し、シート３３に設けられた操作用表示３３ａに向けて投光されており、操作用表示３３ａが操作表示部２ａに表示されている。その状態でユーザーは図１０（ｂ）に示すように操作表示部２ａの操作部を操作（タッチ）すると、それによる静電容量の変化がコイルバネ６１を介して操作表示基板３２の検知部が検知するようになっており、検知部により検知した静電容量の変化に基づいて、ＬＥＤ６２を点灯または消灯させる。
【００３９】
図１１は、本発明の実施の形態に係る加熱調理器の操作表示ユニット３０の固定前後における操作表示ユニット３０を側面視した図、図１２は、本発明の実施の形態に係る加熱調理器の操作表示ユニット３０の固定前後における操作表示ユニット３０を下面視した斜視図、図１３は、本発明の実施の形態に係る加熱調理器の操作表示ユニット３０の固定前後における操作表示ユニット３０を平面視した斜視図、図１４は、本発明の実施の形態に係る加熱調理器のユニット保持部２４および側面スライド部４２を示す側面概略図である。
【００４０】
なお、図１１（ａ）、図１２（ｂ）、および、図１３（ａ）は、操作表示ユニット３０を固定板金１０に固定する前の状態を示しており、図１１（ｂ）、図１２（ａ）、および、図１３（ｂ）は、操作表示ユニット３０を固定板金１０に固定した後の状態を示している。また、図１４（ａ）は、操作表示ユニット３０の下面をユニット保持部２４の上面に沿ってスライドさせる前の状態を示しており、図１４（ｂ）は、操作表示ユニット３０の下面をユニット保持部２４の上面に沿ってスライドさせている状態を示している。また、図１２および図１３において、固定板金１０の上側には天板２が設けられているが、図示を省略している。同様に、図１４において、側面内周壁１２の上側には天板２が設けられているが、図示省略している。
【００４１】
以下、操作表示ユニット３０の固定板金１０への固定方法について図１１〜図１４を用いて説明する。
まず、左右の側面スライド部４２の下面の前側が、左右の側面内周壁１２のユニット保持部２４の上面と対向するように、操作表示ユニット３０の側面スライド部４２を天板２とユニット保持部２４との間に挿入する。そして、その状態で側面スライド部４２の下面がユニット保持部２４の上面を沿うように、後側から前側に向かって操作表示ユニット３０をスライドさせる。このとき、操作表示ユニット３０は天板２に対してほぼ平行にスライドする。
【００４２】
また、図１４に示すように側面スライド部４２の下面の前側は、スライド方向（図１４の左右方向）に対して傾斜している。詳しくは、側面スライド部４２の下面の前側は、前側（図１４の左側）に向かうにつれて上方傾斜している。
そのため、側面スライド部４２の前側は後側よりも薄くなっており、天板２とユニット保持部２４との間に挿入しやすい。
【００４３】
また、本実施の形態では、側面スライド部４２を天板２とユニット保持部２４との間に挿入しやすくするために、天板２とユニット保持部２４との間の間隔を側面スライド部４２の上下方向の長さよりも大きくしている。そのため、挿入時には、操作表示ユニット３０と天板２との間には隙間が空いている。しかし、側面スライド部４２をスライドさせるにつれて操作表示ユニット３０が上方に移動するようになっている。そのため、操作表示ユニット３０をスライドさせるにつれて天板２との間の隙間が小さくなっていき、最終的には操作表示ユニット３０と天板２との間の隙間をなくすことができる。
なお、側面スライド部４２の下面の代わりに、ユニット保持部２４の上面を傾斜させるようにしても、同様の効果が得られる。
【００４４】
また、操作表示ユニット３０の位置決め突起部４６が、固定板金１０の前面位置決め穴２２の位置と合うように、前側に向かって操作表示ユニット３０をスライドさせる。そして、操作表示ユニット３０をスライドさせていき、位置決め突起部４６を前面位置決め穴２２に挿入する。このとき、操作表示ユニット３０の前側面は固定板金１０の前面内周壁１１に当接し、操作表示ユニット３０のユニット側ネジ穴４５が、固定板金１０の板金側ネジ穴２１の位置と合うようになっており、操作表示ユニット３０と固定板金１０との位置合わせが行えるようになっている。
【００４５】
その状態で、板金側ネジ穴２１を介してユニット側ネジ穴４５にネジ６３を挿入し、ネジ固定することにより、操作表示ユニット３０は、側面スライド部４２の下面が固定板金１０のユニット保持部２４によって下方から支持された状態で、固定板金１０に固定される。このとき、シート３３の前側に設けられた折曲部３４は、固定板金１０の前面内周壁１１と操作表示基板ホルダ３１の前側面との間に挟み込まれて収納されている。
【００４６】
従来では、操作表示ユニットを固定板金に固定するために、ネジ穴を複数有するネジ固定部を固定板金に設け、そのネジ固定部で操作表示ユニットの後側を複数箇所（上下方向に）ネジ固定する必要があった。
しかし、本実施の形態では、操作表示基板ホルダ３１の前側面に設けられたユニット側ネジ穴４５一箇所のみでネジ固定する構成となっているため、従来に比べ、操作表示ユニット３０の固定板金１０への固定が容易である。また、固定板金１０に従来のようなネジ固定部を設けることが不要となるため、従来に比べ、板金の使用量を減らすことができる。また、ネジ固定部は操作表示ユニット３０の後側に対応する位置に設けられていたため、加熱コイル５の配置が制限されたが、ネジ固定部が不要となることにより、従来に比べ、加熱コイル５を前側に配置することができる。
【００４７】
以上のように、操作表示ユニット３０を固定板金１０へ固定することにより、天板２の操作表示部２ａに対する操作表示ユニット３０の位置ずれを抑制することができる。
【００４８】
操作用表示３３ａが設けられたシート３３を、ＬＥＤ６２の光路を形成する光路部４１が設けられた操作表示基板ホルダ３１のシート保持部４４で保持しているので、各操作用表示３３ａと各光路部４１との位置合わせがしやすい。そのため、ＬＥＤ６２の点灯によって天板２の操作表示部２ａに表示される操作用表示３３ａが欠けるのを抑制することができる。さらに、操作表示ユニット３０は、各操作用表示３３ａと各光路部４１との位置合わせをすると、操作用表示３３ａとコイルバネ６１との位置も合うようになっているため、操作感度が鈍くなるのを抑制することができる。
【００４９】
また、コイルバネ６１によって、シート３３を天板２の操作表示部２ａの下面に付勢している。このとき、コイルバネ６１のうち、シート３３を介して天板２の操作表示部２ａの下面と接触する最上部を、複数巻きとすることにより、操作表示部２ａにおける操作感度（タッチの検知精度）を向上させることができる。
【００５０】
以上より、本実施の形態に係る加熱調理器によれば、操作表示部２ａにおいて操作用表示３３ａが欠けたり、操作感度が鈍くなったりするのを抑制することができる。
【００５１】
また、従来では天板の操作表示部において、操作部の位置と、操作用表示の表示位置とが、異なっていたため、誤操作してしまう恐れがあった。
しかし、本実施の形態では、操作表示ユニット３０において、操作用表示３３ａに向けて投光するＬＥＤ６２の光路を形成する光路部４１の外周に沿って、静電容量を検知する電極として機能するコイルバネ６１が設けられているため、操作表示部２ａにおける操作部の位置と、操作用表示３３ａの表示位置とが、同じになる。そのため、従来に比べ、操作性を向上させることができ、省スペース化を図ることができる。
【００５２】
また、従来では操作用表示が天板２の操作表示部２ａに設けられていたため、加熱調理器に電源が入っていない状態、つまり、各ＬＥＤ６２が消灯している状態でも操作用表示が見えるようになっていた。
しかし、本実施の形態では、操作用表示３３ａが天板２の操作表示部２ａの下方に配置される操作表示ユニット３０のシート３３に設けられているため、加熱調理器に電源が入っていない状態では、操作表示部２ａにおいて操作用表示３３ａが見えないようになっている。そのため、従来に比べ、デザイン性を向上させることができる。なお、加熱調理器に電源が入っていない状態でも、電源投入用の操作用表示３３ａ（ボタンマーク等）は表示されるようにする。
【符号の説明】
【００５３】
１  本体、２  天板、２Ｌ  案内マーク、２Ｃ  案内マーク、２Ｒ  案内マーク、２ａ  操作表示部、３  外周フレーム、５  加熱コイル、７  吸気口、８  排気口、１０  固定板金、１１  前面内周壁、１２  側面内周壁、２１  板金側ネジ穴、２２  前面位置決め穴、２４  ユニット保持部、３０  操作表示ユニット、３１  操作表示基板ホルダ、３２  操作表示基板、３３  シート、３３ａ  操作用表示、３４  折曲部、４１  光路部、４２  側面スライド部、４４  シート保持部、４５  ユニット側ネジ穴、４６  位置決め突起部、４７  シートリブ、４８  ユニット側ネジ穴用穴、４９  位置決め突起部用穴、５１  シート位置決めリブ、５２  シート可動突起部、５３  シートリブ穴、５４  スリット、６１  コイルバネ、６２  ＬＥＤ、６３  ネジ。
【図１】
2018112394.tif 000003
【図２】
2018112394.tif 000004
【図３】
2018112394.tif 000005
【図４】
2018112394.tif 000006
【図５】
2018112394.tif 000007
【図６】
2018112394.tif 000008
【図７】
2018112394.tif 000009
【図８】
2018112394.tif 000010
【図９】
2018112394.tif 000011
【図１０】
2018112394.tif 000012
【図１１】
2018112394.tif 000013
【図１２】
2018112394.tif 000014
【図１３】
2018112394.tif 000015
【図１４】
2018112394.tif 000016